(57)【特許請求の範囲】
【請求項１】
外部からの力が加わることにより、垂直位置から左右両側に倒れることが可能で、かつ、外部からの力が加わらなくなると、垂直位置に復帰する可倒ガイドにおいて、
前記可倒ガイドの回転支点の下側に設けたスプリングポストにコイル部が嵌められたねじりコイルばねと、
前記ねじりコイルばねの２本の腕部に挟まれ、可倒ガイドの回転によりねじりコイルばねを開閉する形状を持つカムとを設けたことを特徴とする可倒ガイド。
【請求項２】
請求項１において、
前記可倒ガイドを、長孔を介して回転支点に支持するとともに、可倒ガイドの下端に、スプリングポストに接する突起部を設けたことを特徴とする可倒ガイド。
【請求項３】
紙幣を集積状態で搭載して上下動可能なステージを有する紙幣収納部と、
前記紙幣収納部の上方に設けられ、紙幣を一時保留する一時保留部と、
前記一時保留部と紙幣収納部の間に開閉可能に設けられ、閉状態で紙幣を集積状態で搭載し、開くことで搭載した紙幣を前記ステージ上に落とす一時保留板とを備えた紙幣収納庫において、
前記一時保留板が紙幣収納庫の内外に移動する過程で、該一時保留板に押されることで垂直位置から左右両側に倒れることが可能で、かつ、一時保留板が紙幣収納庫内にある時、もしくは紙幣収納庫外にある時に垂直位置に復帰する可倒ガイドを一時保留部と紙幣収納部の間に備え、
前記可倒ガイドの回転支点の下側に設けたスプリングポストにコイル部が嵌められたねじりコイルばねと、
前記ねじりコイルばねの２本の腕部に挟まれ、可倒ガイドの回転によりねじりコイルばねを開閉する形状を持つカムとを設けたことを特徴とする紙幣収納庫。
【請求項４】
請求項３において、
前記可倒ガイドを、長孔を介して回転支点に支持するとともに、可倒ガイドの下端に、スプリングポストに接する突起部を設けたことを特徴とする紙幣収納庫。
【発明の詳細な説明】
【０００１】
【発明の属する技術分野】
本発明は、一時保留板を備えた紙幣収納庫に設ける可倒ガイドおよびこの可倒ガイドを備えた紙幣収納庫に関するものである。
【０００２】
【従来の技術】
紙幣収納部の上方に開閉可能な一時保留板を備えた紙幣収納庫にあっては、一時保留板が紙幣収納庫に出入りするため、紙幣収納庫の一部を切り欠いてなる出入り孔が設けられている。
そして、この出入り孔に紙幣が引っ掛からないように、出入り孔の部分にはガイドを設けるが、一時保留板の開閉動作を妨げないように、可倒するガイド（以下、可倒ガイドと称す）が備えられている。
【０００３】
【発明が解決しようとする課題】
可倒ガイドは、一時保留板の開閉時以外は垂直位置に復帰するように、バネを設けてある。
このバネが動作するのに必要なスペースが多いと、紙幣収納庫が大型化するという問題があった。
【０００４】
【課題を解決するための手段】
上述した課題を解決するため、本願請求項１にかかる発明は、外部からの力が加わることにより、垂直位置から左右両側に倒れることが可能で、かつ、外部からの力が加わらなくなると、垂直位置に復帰する可倒ガイドにおいて、前記可倒ガイドの回転支点の下側に設けたスプリングポストにコイル部が嵌められたねじりコイルばねと、前記ねじりコイルばねの２本の腕部に挟まれ、可倒ガイドの回転によりねじりコイルばねを開閉する形状を持つカムとを設けた可倒ガイドである。
【０００５】
本願請求項２にかかる発明は、上述した請求項１にかかる発明において、前記可倒ガイドを、長孔を介して回転支点に支持するとともに、可倒ガイドの下端に、スプリングポストに接する突起部を設けた可倒ガイドである。
本願請求項３にかかる発明は、紙幣を集積状態で搭載して上下動可能なステージを有する紙幣収納部と、前記紙幣収納部の上方に設けられ、紙幣を一時保留する一時保留部と、前記一時保留部と紙幣収納部の間に開閉可能に設けられ、閉状態で紙幣を集積状態で搭載し、開くことで搭載した紙幣を前記ステージ上に落とす一時保留板とを備えた紙幣収納庫において、前記一時保留板が紙幣収納庫の内外に移動する過程で、該一時保留板に押されることで垂直位置から左右両側に倒れることが可能で、かつ、一時保留板が紙幣収納庫内にある時、もしくは紙幣収納庫外にある時に垂直位置に復帰する可倒ガイドを一時保留部と紙幣収納部の間に備え、前記可倒ガイドの回転支点の下側に設けたスプリングポストにコイル部が嵌められたねじりコイルばねと、前記ねじりコイルばねの２本の腕部に挟まれ、可倒ガイドの回転によりねじりコイルばねを開閉する形状を持つカムとを設けた紙幣収納庫である。
【０００６】
本願請求項４にかかる発明は、上述した請求項３にかかる発明において、前記可倒ガイドを、長孔を介して回転支点に支持するとともに、可倒ガイドの下端に、スプリングポストに接する突起部を設けた紙幣収納庫である。
【０００７】
【発明の実施の形態】
図１は本発明の可倒ガイドの第１の実施の形態を示す説明図である。
図において、１は可倒ガイドで、支点２に支持されて該支点２を中心に回転する。
３は可倒ガイド２に一体に形成されたカムである。
【０００８】
４はねじりコイルばねで、支点２の直下に設けられたスプリングポスト５にコイル部４ａが嵌められている。
このねじりコイルばね４は、コイル部４ａの両端から２本の腕部４ｂおよび４ｃが突出しており、この２本の腕部４ｂおよび４ｃで前記カム３を挟んでいる。このカム３は、頂点が突出した形状で、側面と底部は支点２からの径を同じとしてある。
【０００９】
図２は上述した本発明の可倒ガイドを搭載した本発明の紙幣収納庫の実施の形態の一例を示す側面図、図３は一時保留部の要部平面図である。
図において、６は紙幣収納庫７の一時保留部８において紙幣９を集積する一時保留板、１０ａ，１０ｂは前記一時保留板６の両側端から２本ずつ突出している突起、１１は一時保留板６を移動させるキャリアで、このキャリア１１に設けられた凹部１１ａに前記突起１０ａ，１０ｂが載せられており、キャリア１１が図示しないモータからの駆動力の伝達をギヤ群等を介して受け、一時保留板６を矢印Ａ方向もしくは矢印Ｂ方向に移動させる。
【００１０】
紙幣収納庫７の正面板および両側面板の一部を切り欠いて出入り孔１２を形成してあり、前記一時保留板６は矢印Ａ−Ｂ方向の移動によりこの出入り孔１２を通じて紙幣収納庫７内に出入りする。
図１で説明した可倒ガイド１は、紙幣収納庫７の両側面の出入り孔１２における紙幣ガイドを構成するものであり、紙幣収納庫７の両側面板の内側で、出入り孔１２の上端１２ａから下端１２ｂの間を塞ぐように設けられる。
【００１１】
キャリア１１は可倒ガイド１のそれぞれ外側で、紙幣収納庫７の外側に位置するため、突起１０ａの移動経路に可倒ガイド１が位置することになるが、可倒ガイド１は、キャリア１１の矢印Ａ−Ｂ方向の移動により突起１０ａに押されることで倒れて、該突起１０ａの移動を妨げないようになっている。この動作の詳細については後述する。
【００１２】
紙幣収納庫７の一時保留部８の下には紙幣収納部１３が設けられている。
１４はこの紙幣収納部１３において紙幣１５を集積するステージで、図示しないモータからの駆動力を受けて矢印Ｃ方向に移動して上昇、もしくは矢印Ｄ方向へ移動して下降するようになっている。
１６は一時保留部８の両内側面に対向配置され、紙幣９をガイドする紙幣ガイド、１７は紙幣収納部１３の両内側面に対向配置され、紙幣１５をガイドする紙幣ガイドである。なお可倒ガイド１は、紙幣収納庫７の内側に向かって前記紙幣ガイド１６および１７と同一の高さとなっている。
【００１３】
１８は一時保留板６上の紙幣９もしくはステージ１４上の紙幣１５を繰り出す繰り出しローラ、１９は前記繰り出しローラ１８により繰り出された紙幣を図示しない搬送路に送り込むとともに、紙幣を一時保留板６上に放出する給紙ローラ、２０は前記給紙ローラ２１に対向配置される分離ローラである。
以下に、上述した紙幣収納庫における入出金動作およびこの入出金動作における一時保留板６の移動に伴う可倒ガイド１の動作について説明する。
【００１４】
図４は第１の実施の形態の可倒ガイドの動作を示す説明図であり、まず、一時保留板６の移動に伴う可倒ガイドの動作を説明する。
一時保留板６が図２に実線で示すように紙幣収納庫７内にある状態から、キャリア１１により一時保留板６を矢印Ａ方向に移動させると、突起１０ａが垂直位置にある可倒ガイド１に突き当たる。
【００１５】
さらに一時保留板６の矢印Ａ方向への移動を続けると、図４（ａ）に示すように可倒ガイド１は支点２を中心に回転して倒れる。このとき、カム３も回転することにより、可倒ガイド１が倒れる方向に位置するねじりコイルばね４の腕部４ｂは、カム３の側面から頂点に接触箇所が移動し、これにより、腕部４ｂが押し広げられてコイル部４ａが巻き込まれる方向に捩じられる。腕部４ｃの側は、カム３の側面から底部に接触箇所が移動するので、位置は変わらない。よって、可倒ガイド１を倒すと、ねじりコイルばね４により、可倒ガイド１を垂直位置に戻そうとする力が加わることになる。
【００１６】
突起１０ａで可倒ガイド１を押し倒した状態から一時保留板６をさらに矢印Ａ方向に移動させて突起１０ａが可倒ガイド１を通過すると、可倒ガイド１はねじりコイルばね４のコイル部４ａを巻き込む方向に捩じることにより蓄えられた力および腕部４ｂの撓み等によるカム３を押す力により垂直位置に復帰する。可倒ガイド１が垂直位置に復帰すると、ねじりコイルばね４の腕部４ｂと腕部４ｃがカム３を挟む力により、垂直位置で安定して停止する。
【００１７】
なお、突起１０ａで可倒ガイド１を押し倒した状態から、一時保留板６を矢印Ｂ方向に戻すと、やはり、可倒ガイド１はねじりコイルばね４により垂直位置に復帰する。
一時保留板６が図２に２点鎖線で示すように紙幣収納庫７外にある状態から、キャリア１１により一時保留板６を矢印Ｂ方向に移動させると、突起１０ａが可倒ガイド１に突き当たる。
【００１８】
さらに一時保留板６の矢印Ｂ方向への移動を続けると、図４（ｂ）に示すように可倒ガイド１は支点２を中心に回転して倒れる。このとき、カム３も回転することにより、可倒ガイド１が倒れる方向に位置するねじりコイルばね４の腕部４ｃは、カム３の側面から頂点に接触箇所が移動し、これにより、腕部４ｃが押し広げられてコイル部４ａが巻き込まれる方向に捩じられる。腕部４ｂの側は、カム３の側面から底部に接触箇所が移動するので、位置は変わらない。よって、可倒ガイド１を倒すと、ねじりコイルばね４により、可倒ガイド１を垂直位置に戻そうとする力が加わることになる。
【００１９】
突起１０ａで可倒ガイド１を押し倒した状態から一時保留板６をさらに矢印Ｂ方向に移動させて突起１０ａが可倒ガイド１を通過すると、可倒ガイド１はねじりコイルばね４のコイル部４ａを巻き込む方向に捩じることにより蓄えられた力および腕部４ｃの撓み等によるカム３を押す力により垂直位置に復帰する。可倒ガイド１が垂直位置に復帰すると、ねじりコイルばね４の腕部４ｂと腕部４ｃがカム３を挟む力により、垂直位置で安定して停止する。
【００２０】
なお、突起１０ａで可倒ガイド１を押し倒した状態から、一時保留板６を矢印Ａ方向に戻すと、やはり、可倒ガイド１はねじりコイルばね４により垂直位置に復帰する。
このように、可倒ガイド１は、突起１０ａ等により外部から押し倒そうとする力が加わることにより、力の掛かる方向に応じて左右どちらかに倒れ、外部からの力が加わらなくなると、ねじりコイルばね４の力により垂直位置に戻る。
【００２１】
上述した可倒ガイド１の動作において、可倒ガイド１が倒れるとき、ねじりコイルばね４の一方の腕部が押し広げられる以外は、ねじりコイルばねが必要とするスペースは無い。よって、スプリングポスト５の直下にセンサＧ等を設けることが可能である。
次に、紙幣収納庫における入出金動作を説明する。
【００２２】
入金時は、図示しない制御部が、記憶手段に記憶してある動作履歴あるいはセンサの出力等から一時保留板６が紙幣収納庫７内に位置するか否かを確認し、一時保留板６が図２に２点鎖線で示す紙幣収納庫７の外に位置する場合は、図示しないモータを制御して、キャリア１１により一時保留板６を矢印Ｂ方向に移動させ、図２に実線で示す位置まで移動させる。
【００２３】
このとき、突起１０ａが可倒ガイド１に突き当たるが、図４（ｂ）で説明したように、可倒ガイド１は突起１０ａの矢印Ｂ方向の移動により押し倒され、一時保留板６の移動の妨げになることはない。そして、突起１０ａが押し倒した可倒ガイド１から離れると、該可倒ガイド１はねじりコイルばね４により垂直位置に戻され、ガイドとしての機能を果たすことができるようになる。
【００２４】
次に、ステージ１４を矢印Ｃ方向に移動させ、このステージ１４上に紙幣１５が集積していない場合はステージ１３で直接、あるいは、ステージ１４上に紙幣１５が集積している場合はこの紙幣１５を介して一時保留板６を矢印Ｃ方向に押し上げる。一時保留板６は、突起１０ａ，１０ｂがキャリア１１の凹部１１ａに載ることにより支持されているが、凹部１１ａは上部が開口しているので、一時保留板６は、矢印Ｃ方向に押し上げられると、突起１０ａ，１０ｂはキャリア１１の凹部１１ａから外れ、キャリア１１より高い位置に上昇できる。よって、一時保留板６はステージ１４に押し上げられて所定の高さに位置付けられる。なお、紙幣収納庫７の両側面板には、突起１０ａ，１０ｂが移動するための溝が開けられている。
【００２５】
一時保留板６を所定の高さに位置付けると、繰り出しローラ１８および給紙ローラ１９を矢印Ｆ方向に回転させ、図示しない搬送路から送り込まれた紙幣を一時保留板６上に放出する。
なお、一時保留板６上の紙幣９の集積枚数に応じて、ステージ２３を矢印Ｄ方向に所定量ずつ下降させることで、一時保留板６を下降させて集積に必要なスペースを空けて行く。
【００２６】
入金取引が成立する等して、一時保留板９上に集積した紙幣９をステージ１５上に移す場合は、ステージ１４を矢印Ｄ方向に所定量下降させることで一時保留板６を下降させ、突起１０ａ，１０ｂをキャリア１１の凹部１１ａに載せる。
次に、キャリア１１により一時保留板６を矢印Ａ方向に移動させる。このとき、突起１０ａが可倒ガイド１に突き当たるが、図４（ａ）で説明したように、可倒ガイド１は突起１０ａの矢印Ａ方向の移動により押し倒され、一時保留板６の移動の妨げになることはない。そして、突起１０ａが押し倒した可倒ガイド１から離れると、該可倒ガイド１はねじりコイルばね４により垂直位置に戻され、ガイドとしての機能を果たすことができるようになる。
【００２７】
一時保留板６が図２に２点鎖線で示す位置まで移動すると、該一時保留板６上の紙幣９は、ステージ１４上に落下する。
このとき、紙幣ガイド１７の下端、紙幣ガイド１８の上端および可倒ガイド１のガイド面の上下端は傾斜面となっており、各ガイドのガイド面の高さが同一であるので、各ガイド間での紙幣の受渡しが滑らかに行え、一時保留部８から紙幣収納部１３へと紙幣９は滑らかに移動することができる。そして、出入り孔１２においては可倒ガイド１が出入り孔１２の上端１２ａから下端１２ｂまでの間を塞いでいるので、紙幣が出入り孔１２に引っ掛かることはなく、紙幣の折れ等が発生しない。よって、集積不良になることはなく、信頼性が向上するものである。
【００２８】
なお、一時保留板６上に集積した紙幣９を繰り出す必要が生じた場合は、ステージ１４を矢印Ｃ方向に上昇させることで一時保留板６も上昇させ、該一時保留板６上の紙幣９を繰り出しローラ１８に押しつける。そして、繰り出しローラ１８および給紙ローラ１９を矢印Ｅ方向に回転させることで、一時保留板６上の紙幣９を一枚ずつ繰り出していく。
【００２９】
出金時は、まず、一時保留板６の位置を確認し、図２の実線で示すように紙幣収納庫７内に位置する場合は、キャリア１１により一時保留板６を矢印Ａ方向に移動させる。このとき、突起１０ａが可倒ガイド１に突き当たるが、図４（ａ）で説明したように、可倒ガイド１は突起１０ａの矢印Ａ方向の移動により押し倒され、一時保留板６の移動の妨げになることはない。そして、突起１０ａが押し倒した可倒ガイド１から離れると、該可倒ガイド１はねじりコイルばね４により垂直位置に戻され、ガイドとしての機能を果たすことができるようになる。
【００３０】
一時保留板６が図２に２点鎖線で示す位置まで移動すると、ステージ１４を上昇させ、該ステージ１４上の紙幣１５を繰り出しローラ１８に押しつける。そして、繰り出しローラ１８および給紙ローラ１９を矢印Ｅ方向に回転させることで、ステージ１４上の紙幣１５を一枚ずつ繰り出していく。
このとき、紙幣ガイド１７の下端、紙幣ガイド１８の上端および可倒ガイド１のガイド面の上下端は傾斜面となっており、各ガイドのガイド面の高さが同一であるので、各ガイド間での紙幣の受渡しが滑らかに行え、紙幣収納部１３から一時保留部８へと紙幣１５は滑らかに移動することができる。そして、出入り孔１２においては可倒ガイド１が出入り孔１２の上端１２ａから下端１２ｂまでの間を塞いでいるので、紙幣が出入り孔１２に引っ掛かることはなく、紙幣の折れ等が発生しない。よって、繰り出し不良が発生することはなく、信頼性が向上するものである。
【００３１】
以上説明したように、一時保留板６が紙幣収納庫７内に出入りするために必要な出入り孔１２を塞ぐ可倒ガイド１を設けたので、紙幣収納部１３と一時保留部８との間の紙幣の受渡しが滑らかに行えるようになる。
また、可倒ガイド１が倒れるとき、ねじりコイルばね４の一方の腕部が押し広げられる以外は、ねじりコイルばねが必要とするスペースは無い。よって、スプリングポスト５の直下にセンサ等を設けることが可能であり、紙幣収納庫７の小型化を図ることが可能である。
【００３２】
図５は本発明の可倒ガイドの第２の実施の形態を示す説明図である。
図において、２１は可倒ガイドで、長孔２１ａを介して支点２に支持され、該支点２を中心に回転する。
３は可倒ガイド２に一体に形成されたカムである。
４はねじりコイルばねで、支点２の直下に設けられたスプリングポスト５にコイル部４ａが嵌められている。
【００３３】
このねじりコイルばね４は、コイル部４ａの両端から２本の腕部４ｂおよび４ｃが突出しており、この２本の腕部４ｂおよび４ｃで前記カム３を挟んでいる。このカム３は、頂点が突出した形状で、側面と底部は支点２からの径を同じとしてある。
また、可倒ガイド２１の下端には、該可倒ガイド２１が垂直位置にあるときに、スプリングポスト５に接することで可倒ガイド２１の位置決めを行う突起部２１ｂが設けてある。
【００３４】
上述した第２の実施の形態の可倒ガイド２１も、図２および図３で説明した紙幣収納庫７に、出入り孔１２におけるガイドとして取り付けられるものであり、以下に、図２および図３における可倒ガイドをこの第２の実施の形態の可倒ガイド２１に置き換えて、一時保留板６の移動に伴う第２の実施の形態の可倒ガイド２１の動作を説明する。ここで、図６は第２の実施の形態の可倒ガイドの動作を示す説明図である。
【００３５】
まず、可倒ガイド２１が垂直位置にあるときは、図５に示すように突起部２１ｂがスプリングポスト５の外周部に乗り上げることで、可倒ガイド２１は上方向に押し上げられ、長孔２１ａの下端に支点２が寄った状態で静止している。この状態で、可倒ガイド２１は、紙幣収納庫７の出入り孔１２の上端１２ａから下端１２ｂを塞いでいる。
【００３６】
一時保留板６が図２に実線で示すように紙幣収納庫７内にある状態から、キャリア１１により一時保留板６を矢印Ａ方向に移動させると、突起１０ａが垂直位置にある可倒ガイド２１に突き当たる。
さらに一時保留板６の矢印Ａ方向への移動を続けると、図６（ａ）に示すように可倒ガイド２１は支点２を中心に回転して倒れる。このとき、カム３も回転することにより、可倒ガイド２１が倒れる方向に位置するねじりコイルばね４の腕部４ｂは、カム３の側面から頂点に接触箇所が移動し、これにより、腕部４ｂが押し広げられてコイル部４ａが巻き込まれる方向に捩じられる。そして、可倒ガイド２１が回転することで、突起部２１ｂがスプリングポスト５と接触しなくなるので、可倒ガイド２１はねじりコイルばね４のコイル部４ａを巻き込む方向に捩じることにより蓄えられた力および腕部４ｂの撓みによるカム３を押す力により長孔２１ａの上端に支点２が寄った状態になる。これにより、可倒ガイド２１の外周軌跡が小さくなる。なお、ねじりコイルばね４の腕部４ｃは、可倒ガイド２１全体が押し下げられた分、押し広げられることになる。
【００３７】
よって、可倒ガイド２１を倒すと、ねじりコイルばね４により、可倒ガイド２１を垂直位置に戻そうとする力が加わることになる。
突起１０ａで可倒ガイド２１を押し倒した状態から一時保留板６をさらに矢印Ａ方向に移動させて突起１０ａが可倒ガイド２１を通過すると、可倒ガイド２１はねじりコイルばね４のコイル部４ａを巻き込む方向に捩じることにより蓄えられた力および腕４ｂの撓み等によるカム３を押す力により垂直位置に復帰する。このとき、突起部２１ｂがスプリングガイド５に接するので、可倒ガイド２１は長孔２１ａの下端に支点２がくる位置まで押し上げられる。可倒ガイド１が垂直位置に復帰すると、ねじりコイルばね４の腕部４ｂと腕部４ｃがカム３を挟む力により、垂直位置で安定して停止する。
【００３８】
なお、突起１０ａで可倒ガイド２１を押し倒した状態から、一時保留板６を矢印Ｂ方向に戻すと、やはり、可倒ガイド２１はねじりコイルばね４により垂直位置に復帰する。
一時保留板６が図２に２点鎖線で示すように紙幣収納庫７外にある状態から、キャリア１１により一時保留板６を矢印Ｂ方向に移動させると、突起１０ａが垂直位置にある可倒ガイド２１に突き当たる。
【００３９】
さらに一時保留板６の矢印Ｂ方向への移動を続けると、図６（ｂ）に示すように可倒ガイド２１は支点２を中心に回転して倒れる。このとき、カム３も回転することにより、可倒ガイド２１が倒れる方向に位置するねじりコイルばね４の腕部４ｃは、カム３の側面から頂点に接触箇所が移動し、これにより、腕部４ｃが押し広げられてコイル部４ａが巻き込まれる方向に捩じられる。そして、可倒ガイド２１が回転することで、突起部２１ｂがスプリングポスト５と接触しなくなるので、可倒ガイド２１はねじりコイルばね４のコイル部４ａを巻き込む方向に捩じることにより蓄えられた力および腕部４ｃの撓みによるカム３を押す力により長孔２１ａの上端に支点２が寄った状態になる。これにより、可倒ガイド２１の外周軌跡が小さくなる。なお、ねじりコイルばね４の腕部４ｂは、可倒ガイド２１全体が押し下げられた分、押し広げられることになる。
【００４０】
よって、可倒ガイド２１を倒すと、ねじりコイルばね４により、可倒ガイド２１を垂直位置に戻そうとする力が加わることになる。
突起１０ａで可倒ガイド２１を押し倒した状態から一時保留板６をさらに矢印Ｂ方向に移動させて突起１０ａが可倒ガイド２１を通過すると、可倒ガイド２１はねじりコイルばね４のコイル部４ａを巻き込む方向に捩じることにより蓄えられた力および腕４ｃの撓み等によるカム３を押す力により垂直位置に復帰する。このとき、突起部２１ｂがスプリングガイド５に接するので、可倒ガイド２１は長孔２１ａの下端に支点２がくる位置まで押し上げられる。可倒ガイド１が垂直位置に復帰すると、ねじりコイルばね４の腕部４ｂと腕部４ｃがカム３を挟む力により、垂直位置で安定して停止する。
【００４１】
なお、突起１０ａで可倒ガイド２１を押し倒した状態から、一時保留板６を矢印Ｂ方向に戻すと、やはり、可倒ガイド２１はねじりコイルばね４により垂直位置に復帰する。
このように、可倒ガイド２１は、突起１０ａ等により外部から押し倒そうとする力が加わることにより、力の掛かる方向に応じて左右どちらかに倒れ、外部からの力が加わらなくなると、ねじりコイルばね４の力により垂直位置に戻る。
【００４２】
上述した可倒ガイド１の動作において、可倒ガイド２１が倒れるとき、ねじりコイルばね４の一方の腕部が押し広げられる以外は、ねじりコイルばねが必要とするスペースは無い。よって、スプリングポスト５の直下にセンサＧ等を設けることが可能である。
さらに、可倒ガイド２１を長孔２１ａを介して支点２に支持するようにし、垂直位置にあるときは突起２１ｂにより押し上げられた状態に位置決めしてガイドとしての機能を果たすようにし、倒れるときには回転半径が小さくなるようにしたので、可倒ガイド２１の上側近傍まで、ガイドＨ，Ｉ等を延ばすことが可能となる。
【００４３】
紙幣収納庫７における入出金動作全体は第１の実施の形態で説明したものと同様であるので、ここではその説明を省略するが、紙幣ガイド１７の下端、紙幣ガイド１８の上端および可倒ガイド２１のガイド面の上下端は傾斜面となっており、各ガイドのガイド面の高さが同一であるので、各ガイド間での紙幣の受渡しが滑らかに行え、紙幣収納部１３と一時保留部８との間で紙幣は滑らかに移動することができる。そして、出入り孔１２においては可倒ガイド２１が出入り孔１２の上端１２ａから下端１２ｂまでの間を塞いでいるので、紙幣が出入り孔１２に引っ掛かることはなく、紙幣の折れ等が発生せず、信頼性が向上する。
【００４４】
そして、可倒ガイド２１は、一時保留板６の開閉により倒れるとき、回転半径が小さくなるので、紙幣ガイド１７と１８の間隔を狭くする等が可能となり、紙幣収納庫７の小型化を図ることが可能となる。
【００４５】
【発明の効果】
以上説明したように、本発明は、可倒ガイドの回転支点の下側に設けたスプリングポストにコイル部が嵌められたねじりコイルばねと、前記ねじりコイルばねの２本の腕部に挟まれ、可倒ガイドの回転によりねじりコイルばねを開閉する形状を持つカムとを設けたので、可倒ガイドが垂直状態にあるときにねじりコイルばねが必要とするスペース、および可倒ガイドが倒れる時にねじりコイルばねが必要とするスペースが小さくて済む。したがって、この可倒ガイドを紙幣収納庫の一時保留部と紙幣収納部との間のガイドとして用いれば、紙幣収納庫の小型化を図ることが可能となる。
【００４６】
また、前記可倒ガイドを、長孔を介して回転支点に支持するとともに、可倒ガイドの下端に、スプリングポストに接する突起部を設けることで、可倒ガイドが倒れるときの回転半径を小さくすることができ、ねじりコイルばねが必要とするスペースだけでなく、可倒ガイドが必要とするスペースも小さくすることができる。したがって、この可倒ガイドを紙幣収納庫の一時保留部と紙幣収納部との間のガイドとして用いれば、紙幣収納庫をより小型にすることが可能となる。
【図面の簡単な説明】
【図１】本発明の可倒ガイドの第１の実施の形態を示す説明図
【図２】本発明の紙幣収納庫の実施の形態の一例を示す側面図
【図３】一時保留部の要部平面図
【図４】第１の実施の形態の可倒ガイドの動作を示す説明図
【図５】本発明の可倒ガイドの第２の実施の形態を示す説明図
【図６】第２の実施の形態の可倒ガイドの動作を示す説明図
【符号の説明】
１  可倒ガイド
２  支点
３  カム
４  ねじりコイルばね
４ａ  コイル部
４ｂ，４ｃ  腕部
５  スプリングポスト
６  一時保留板
１０ａ，１０ｂ  突起
【図１】
0004070052.tif 000002
【図２】
0004070052.tif 000003
【図３】
0004070052.tif 000004
【図４】
0004070052.tif 000005
【図５】
0004070052.tif 000006
【図６】
0004070052.tif 000007